【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
材料定量吐出システムを監視及び制御するシステムであって、
前記定量吐出システムから遠隔して配置されるユーザインタフェースと、
該インタフェースに接続可能な通信ネットワークと、
前記定量吐出システムを前記通信ネットワークに接続する無線ネットワークと
を備える、材料定量吐出システムを監視及び制御するシステム。
【請求項２】
前記インタフェース装置はパーソナルコンピュータを含み、前記ネットワークはインターネットを含む、請求項１に記載の材料定量吐出システムを監視及び制御するシステム。
【請求項３】
前記通信ネットワークはウェブサーバ及びセキュアなウェブサイトを含む、請求項１に記載の材料定量吐出システムを監視及び制御するシステム。
【請求項４】
材料定量吐出システムを監視及び制御する方法であって、
ａ．リモートユーザを通信ネットワークに接続するステップと、
ｂ．前記定量吐出システムを前記通信ネットワークに無線接続するステップと
を含む、材料定量吐出システムを監視及び制御する方法。
【請求項５】
材料定量吐出システムを監視するシステムであって、
定量吐出システムと、
該定量吐出システムのコントローラであって、無線ネットワークに接続可能なコントローラと、
前記無線ネットワークに接続可能な通信ネットワークと、
該通信ネットワークに接続可能なリモートユーザと
を備える、材料定量吐出システムを監視するシステム。
【請求項６】
前記定量吐出システムは、インターネット上のセキュアなウェブページを介して前記リモートユーザにアクセス可能である、請求項５に記載の材料定量吐出システムを監視するシステム。
【請求項７】
前記無線ネットワークは、前記定量吐出システムと通信する、施設内の選択可能な場所に配置することができる無線アクセスポイントを含む、請求項１に記載の材料定量吐出システムを監視するシステム。
【請求項８】
複数の塗布システム監視モジュールを有する材料定量吐出システムを監視するシステムであって、
各監視モジュール毎の無線通信リンクと、
各監視モジュールと無線通信する無線アクセスポイントと
を備える、材料定量吐出システムを監視するシステム。
【請求項９】
前記無線アクセスポイントは、以下、
（ａ）無線ネットワークルータと、
（ｂ）前記監視モジュールの無線通信範囲内の移動体
のうちの少なくとも１つである、請求項８に記載の材料定量吐出システムを監視するシステム。
【請求項１０】
前記無線アクセスポイントは顧客外部の通信ネットワークと通信し、各監視モジュールは遠隔地から顧客が入力した通信ネットワークを介してアドレス指定可能である、請求項８に記載の材料定量吐出システムを監視するシステム。
【請求項１１】
前記無線アクセスポイント及び顧客外部の通信ネットワークと通信するウェブサーバをさらに備える、請求項８に記載の材料定量吐出システムを監視するシステム。
【請求項１２】
複数の塗布システム監視モジュールを有する材料定量吐出システムを監視するシステムであって、
各監視モジュール毎のウェブサーバ及び無線通信リンクと、
各監視モジュールと無線通信する無線アクセスポイントと
を備える、材料定量吐出システムを監視するシステム。
【請求項１３】
前記無線アクセスポイントは顧客外部の通信ネットワークと通信し、前記無線アクセスポイントはルータであり、前記顧客外部の通信ネットワークはインターネットである、請求項１２に記載の材料定量吐出システムを監視するシステム。
【請求項１４】
前記ウェブサーバ及び前記無線通信リンクは、前記監視モジュールに結合される基板上に一体化される、請求項１２に記載の材料定量吐出システムを監視するシステム。
【請求項１５】
前記ウェブサーバは、（ａ）監視モジュールと通信すること、及び（ｂ）監視モジュールからデータを受信することの一方又は両方を行うようになっている、請求項１２に記載の材料定量吐出システムを監視するシステム。
【請求項１６】
前記ウェブサーバは、前記データを該ウェブサーバによって提供される１つ又は複数のウェブページ上に提示するようになっている、請求項１５に記載の材料定量吐出システムを監視するシステム。
【請求項１７】
前記ウェブサーバは、リモートユーザから情報を受信するようになっている、請求項１２に記載の材料定量吐出システムを監視するシステム。
【請求項１８】
前記情報は少なくとも１つのコマンド制御を含み、前記ウェブサーバは該コマンド制御を前記監視モジュールに通信するようになっている、請求項１７に記載の材料定量吐出システムを監視するシステム。
【請求項１９】
材料定量吐出システムを遠隔監視するシステムであって、
ウェブインタフェースカードに結合される塗布システムコントローラであって、該ウェブインタフェースカードは、顧客外部の通信ネットワークと通信するようになっている、塗布システムコントローラ
を備える、材料定量吐出システムを遠隔監視するシステム。
【請求項２０】
前記ウェブインタフェースカードはウェブサーバを有する、請求項１９に記載の材料定量吐出システムを遠隔監視するシステム。
【請求項２１】
前記ウェブサーバは以下の、
（ａ）前記塗布システムに関する前記コントローラからの情報を受信すること、
（ｂ）制御コマンドを前記顧客外部の通信ネットワークに送信すること、及び
（ｃ）前記顧客外部の通信ネットワークと通信すること
のうちの少なくとも１つを行う、請求項２０に記載の材料定量吐出システムを遠隔監視するシステム。
【請求項２２】
前記ウェブインタフェースカードと前記顧客外部の通信ネットワークの間の通信に役立つ無線アクセスポイントをさらに備える、請求項１９に記載の材料定量吐出システムを遠隔監視するシステム。
【請求項２３】
前記ウェブインタフェースカードは以下の、
（ａ）前記無線アクセスポイントと無線通信するための無線通信リンクと、
（ｂ）ウェブサーバと
のうちの少なくとも１つをさらに含む、請求項２２に記載の材料定量吐出システムを遠隔監視するシステム。
【請求項２４】
リモートユーザによって材料定量吐出システムを監視するシステムであって、
インターネットを介して前記リモートユーザと通信するウェブサーバを有する少なくとも１つのコントローラ
を備える、リモートユーザによって材料定量吐出システムを監視するシステム。
【請求項２５】
前記インターネットと通信する無線アクセスポイント
をさらに備え、各コントローラは、前記無線アクセスポイントと通信する無線ノードをさらに有する、請求項２４に記載のリモートユーザによって材料定量吐出システムを監視するシステム。
【請求項２６】
各コントローラ毎に、前記ウェブサーバ及び前記無線ノードは前記コントローラに結合される単一の基板上に一体化される、請求項２５に記載のリモートユーザによって材料定量吐出システムを監視するシステム。
【請求項２７】
前記無線アクセスポイントと通信するウェブサーバ及び無線ノードをそれぞれ有する複数のコントローラを有する、請求項２５に記載のリモートユーザによって材料定量吐出システムを監視するシステム。
【請求項２８】
前記ウェブサーバは、少なくとも１つのウェブページを前記インターネットに提供するようになっており、前記ウェブページは、前記材料定量吐出システムに関する情報を含む、請求項２４に記載のリモートユーザによって材料定量吐出システムを監視するシステム。
【請求項２９】
前記提供される情報は、前記コントローラによって提供される状態情報を含む、請求項２８に記載のリモートユーザによって材料定量吐出システムを監視するシステム。
【請求項３０】
前記ウェブサーバは、前記材料定量吐出システムに関する少なくとも１つの電子メールを送信するようになっている、請求項２４に記載のリモートユーザによって材料定量吐出システムを監視するシステム。
【請求項３１】
前記ウェブサーバは、トリガ事象に応答して前記インターネットを介して信号を送信するための警告ロジックを含む、請求項２４に記載のリモートユーザによって材料定量吐出システムを監視するシステム。
【請求項３２】
前記信号は、前記リモートユーザに送信される電子メールであり、該電子メールは、前記トリガ事象に関する情報を含む、請求項３１に記載のリモートユーザによって材料定量吐出システムを監視するシステム。
【請求項３３】
前記ウェブサーバは、１つ又は複数の事象に応答して１つ又は複数の電子メールを送信するための電子メールロジックを含む、請求項２４に記載のリモートユーザによって材料定量吐出システムを監視するシステム。
【請求項３４】
前記ウェブサーバは、前記事象の性質に応じて送信する複数の事前に定義された電子メールを有する、請求項３３に記載のリモートユーザによって材料定量吐出システムを監視するシステム。
【請求項３５】
システム状態を監視するための監視ロジックをさらに備える、請求項２５に記載のリモートユーザによって材料定量吐出システムを監視するシステム。
【請求項３６】
前記ウェブサーバは、該ウェブサーバにデータを入力するためのウェブ入力ロジックをさらに含む、請求項２５に記載のリモートユーザによって材料定量吐出システムを監視するシステム。
【請求項３７】
データ入力が以下、
（ａ）ウェブフォームによって容易にされる、
（ｂ）制御コマンドを含む、
（ｃ）前記システムに対する更新を含む
のうちの少なくとも１つである、請求項３６に記載のリモートユーザによって材料定量吐出システムを監視するシステム。
【請求項３８】
１つ又は複数のコントローラから受信した情報を分析するためのグローバル検討ロジックを有するグローバルサーバ
をさらに備える、請求項２５に記載のリモートユーザによって材料定量吐出システムを監視するシステム。
【請求項３９】
１つ又は複数のコントローラに関する情報を記憶するための顧客データベースをさらに備える、請求項３８に記載のリモートユーザによって材料定量吐出システムを監視するシステム。
【請求項４０】
前記システムと無線通信するようになっているハンドヘルドコンピューティングデバイス
をさらに備える、請求項２４に記載のリモートユーザによって材料定量吐出システムを監視するシステム。
【請求項４１】
材料定量吐出システムを遠隔監視する方法であって、
前記材料定量吐出システムのコントローラに結合されたウェブサーバによって作成される少なくとも１つのウェブページを顧客外部の通信ネットワーク上に提供するステップであって、該ウェブページは、前記コントローラの状態に関する少なくとも１つの情報を含む、提供するステップ
を含む、材料定量吐出システムを遠隔監視する方法。
【請求項４２】
前記ウェブページを前記ウェブサーバから、前記顧客外部の通信ネットワークと通信する無線アクセスポイントに無線送信するステップ
をさらに含む、請求項４１に記載の材料定量吐出システムを遠隔監視する方法。
【請求項４３】
前記情報をリモートデータベースに記憶するステップ
をさらに含む、請求項４１に記載の材料定量吐出システムを遠隔監視する方法。